(57)【要約】【課題】光変調装置をクロスダイクロイックプリズム以外の部材に効率的に固定でき、光変調素子の位置調整が効率的に行える光変調装置の固定構造およびプロジェクターを提供すること。【解決手段】光変調装置１０の固定構造は、光変調装置１０と、光変調装置１０を固定するベース部材５０と、を有し、光変調装置１０は、画像信号に基づいて光束を変調する光変調素子（液晶パネル１１）と、液晶パネル１１を保持して上部または下部の一方に複数の第１固定部１６０を有するフレーム１５と、を備え、ベース部材５０は、光変調装置１０の複数の第１固定部１６０に対応して形成される複数の第２固定部５２０を備え、第２固定部５２０は、第１固定部１６０を可動可能に受ける。【選択図】図４
2011076027.tif 000002
【特許請求の範囲】
【請求項１】
光変調装置の固定構造であって、
前記光変調装置と、当該光変調装置を固定するベース部材と、を有し、
前記光変調装置は、画像信号に基づいて光束を変調する光変調素子と、当該光変調素子を保持して上部または下部の一方に複数の第１固定部を有するフレームと、を備え、
前記ベース部材は、前記光変調装置の前記複数の第１固定部に対応して形成される複数の第２固定部を備え、
前記第２固定部は、前記第１固定部を可動可能に受けることを特徴とする光変調装置の固定構造。
【請求項２】
請求項１に記載の光変調装置の固定構造であって、
前記第１固定部は、前記フレームの上部または下部の他方となる前記フレームの外形に対し、前記光変調装置の光束入射側および光束射出側に延出して形成されていることを特徴とする光変調装置の固定構造。
【請求項３】
請求項１または請求項２に記載の光変調装置の固定構造であって、
前記第１固定部は、突出部を有し、
前記第２固定部は、前記突出部を遊挿する孔部を有していることを特徴とする光変調装置の固定構造。
【請求項４】
請求項１または請求項２に記載の光変調装置の固定構造であって、
前記第１固定部と前記第２固定部との間に設置され、双方に対して摺動可能な摺動部材を備えていることを特徴とする光変調装置の固定構造。
【請求項５】
請求項４に記載の光変調装置の固定構造であって、
前記摺動部材は、第１円柱部と、当該第１円柱部の長手方向略中心部から垂直方向に突出する第２円柱部と、を有しており、
前記第２固定部は、前記摺動部材の前記第１円柱部を摺動可能に受ける溝部を有し、
前記第１固定部は、前記摺動部材の前記第２円柱部を遊挿する孔部を有していることを特徴とする光変調装置の固定構造。
【請求項６】
請求項５に記載の光変調装置の固定構造であって、
前記溝部は、光束入射側と光束射出側とで、略直行する方向となるように形成されていることを特徴とする光変調装置の固定構造。
【請求項７】
光源と、
請求項１〜請求項６のいずれか一項に記載の光変調装置の固定構造により固定される前記光変調装置と、
前記光変調装置で変調されて形成された光学像を投写する投写レンズと、を備え、
前記ベース部材は、前記光変調装置を空冷により冷却する流路を構成していることを特徴とするプロジェクター。
【発明の詳細な説明】
【技術分野】
【０００１】
本発明は、光変調装置の固定構造、およびプロジェクターに関する。
【背景技術】
【０００２】
従来、プロジェクターは、光源から射出された光束を画像信号に基づいて変調して光学像を形成する光変調素子（液晶パネルなど）を有している。また、光変調素子は、フレームに収容されて光変調装置を構成している。そして、光変調装置は、光合成光学系を構成するクロスダイクロイックプリズムの対応する側面に他の部材を介してフレームを固定することにより固定される構造となっている。また、光変調装置を固定する場合には、光変調素子を６軸（Ｘ，Ｙ，Ｚ，θｘ，θｙ，θｚ）に対して位置調整を行った後に固定することが必要となる。
【０００３】
なお、光変調素子は、光源からの光束により発熱するため、冷却が必要となる。なお、冷却方法は、冷却ファンを用い、プロジェクターの外部から外気を吸気して光変調素子に冷却風として吐出する、いわゆる空冷方式が用いられている。
【０００４】
光変調素子（液晶パネル）の冷却に関して特許文献１では、クロスダイクロイックプリズムの周囲３面の入射面と、これに対向して配置される３枚の液晶パネル（赤色光用、緑色光用、および青色光用）と、３枚の液晶パネルの入射側に配置される３つの偏光板を有しており、３枚の液晶パネルと３つの偏光板との間を冷却風が通過するようにＵ字形状に構成された流路を備えている。この流路は、３枚の液晶パネルの射出側とクロスダイクロイックプリズムの周囲３面の入射面とでなす間隔により流路（仮に、第１流路とする）を形成し、３枚の液晶パネルの入射側と３つの入射側の偏光板とでなす間隔により流路（仮に、第２流路とする）を形成している。そして、第１流路と第２流路を合わせた流入口に配置した冷却ファンから冷却風を流入させ、３枚の液晶パネルを順次冷却する。そして、液晶パネルを順次冷却した後の温まった冷却風は、排出口から排出させるという冷却構造が開示されている。
【先行技術文献】
【特許文献】
【０００５】
【特許文献１】特開２００１−２８１６１３号公報
【発明の概要】
【発明が解決しようとする課題】
【０００６】
しかし、特許文献１では、流路における液晶パネルの固定構造に関しては詳述されていない。なお、３枚の液晶パネルを用いる場合には、各液晶パネルの位置調整を行うと共に、クロスダイクロイックプリズムで合成される各色光の光学像を一致させる位置調整を行うことが必要となる。このように、液晶パネルをクロスダイクロイックプリズム以外の部材に固定する場合に、液晶パネルの位置調整を可能とする固定構造は重要な課題となる。
従って、光変調装置をクロスダイクロイックプリズム以外の部材に効率的に固定でき、光変調素子の位置調整が効率的に行える光変調装置の固定構造およびプロジェクターが要望されていた。
【課題を解決するための手段】
【０００７】
本発明は、上述した課題の少なくとも一部を解決するためになされたものであり、以下の形態または適用例として実現することが可能である。
【０００８】
（適用例１）本適用例に係る光変調装置の固定構造は、光変調装置と、光変調装置を固定するベース部材と、を有し、光変調装置は、画像信号に基づいて光束を変調する光変調素子と、光変調素子を保持して上部または下部の一方に複数の第１固定部を有するフレームと、を備え、ベース部材は、光変調装置の複数の第１固定部に対応して形成される複数の第２固定部を備え、第２固定部は、第１固定部を可動可能に受けることを特徴とする。
【０００９】
このような光変調装置の固定構造によれば、ベース部材の複数の第２固定部に、光変調装置のフレームの上部または下部の一方に有する複数の第１固定部を可動可能に受ける構造となる。この構造により、第２固定部に対して第１固定部が可動することで、光変調装置をスムーズに可動して効率的に光変調素子の６軸の位置調整を行うことができる。また、第１固定部をフレームの上部または下部の一方に有するため、ベース部材に対して１方向から光変調装置を設置できるため、組み立て性が向上する。そして、フレームの上部または下部の他方に、例えば位置調整治具を設置するなど、他方を利用して位置調整を行うことができるため、効率的な構造で、位置調整を行うことができる。また、第１固定部（第１固定部に対応した第２固定部）を複数有するため、位置調整後、例えば接着剤などで第１固定部と第２固定部とを固定することにより、光変調装置をベース部材に安定して固定することができる。
【００１０】
（適用例２）上記適用例に係る光変調装置の固定構造において、第１固定部は、フレームの上部または下部の他方となるフレームの外形に対し、光変調装置の光束入射側および光束射出側に延出して形成されていることが好ましい。
【００１１】
このような光変調装置の固定構造によれば、第１固定部は、フレームの上部または下部の他方となるフレームの外形に対し、フレームの光変調装置の光束入射側および光束射出側に延出して形成されるため、第２固定部に第１固定部を組み立てる際の設置作業性の向上や、位置調整後の接着剤などによる固定作業性の向上を図ることができる。
【００１２】
（適用例３）上記適用例に係る光変調装置の固定構造において、第１固定部は、突出部を有し、第２固定部は、突出部を遊挿する孔部を有していることが好ましい。
【００１３】
このような光変調装置の固定構造によれば、第２固定部の孔部に第１固定部の突出部を遊挿するという簡易な構成で、位置調整および固定を行うことができる。
【００１４】
（適用例４）上記適用例に係る光変調装置の固定構造において、第１固定部と第２固定部との間に設置され、双方に対して摺動可能な摺動部材を備えていることが好ましい。
【００１５】
このような光変調装置の固定構造によれば、摺動部材を備えることにより、第１固定部と第２固定部との双方に対して安定した摺動を行わせることができ、光変調素子の６軸の位置調整を安定して行うことができる。また、調整後、例えば接着剤などで固定する場合、摺動部材を備えることで、接着する表面積が広くなることなどにより、光変調装置をベース部材に確実に固定することができる。
【００１６】
（適用例５）上記適用例に係る光変調装置の固定構造において、摺動部材は、第１円柱部と、第１円柱部の長手方向略中心部から垂直方向に突出する第２円柱部と、を有しており、第２固定部は、摺動部材の第１円柱部を摺動可能に受ける溝部を有し、第１固定部は、摺動部材の第２円柱部を遊挿する孔部を有していることが好ましい。
【００１７】
このような光変調装置の固定構造によれば、第２固定部の溝部と摺動部材の第１円柱部、および、第１固定部の孔部と摺動部材の第２円柱部とが、光変調素子の６軸の位置調整時にスムーズに摺動することで、光変調装置の動きに柔軟に追従することができ、効率的に位置調整を行うことができる。また、位置調整後、第１固定部と摺動部材と第２固定部とを、例えば接着剤などで固定する場合、摺動部材が第１円柱部と第２円柱部で形成されるため、円柱の表面を接着剤が流動し易くなり、更に確実な接着を行えることで、固定力を向上することができる。
【００１８】
（適用例６）上記適用例に係る光変調装置の固定構造において、溝部は、光束入射側と光束射出側とで、略直行する方向となるように形成されていることが好ましい。
【００１９】
このような光変調装置の固定構造によれば、溝部は、光束入射側と光束射出側とで、略直行する方向となるように形成されることにより、どの方向からの振動や衝撃に対しても固定力を確保することができる。
【００２０】
（適用例７）本適用例に係るプロジェクターは、光源と、上述したいずれかに記載の光変調装置の固定構造により固定される光変調装置と、光変調装置で変調されて形成された光学像を投写する投写レンズと、を備え、ベース部材は、光変調装置を空冷により冷却する流路を構成していることを特徴とする。
【００２１】
このようなプロジェクターによれば、ベース部材は、光変調装置を空冷により冷却する流路を構成しているため、ベース部材に上述したように固定した光変調装置を、効率的に空冷により冷却することができる。
【図面の簡単な説明】
【００２２】
【図１】第１実施形態に係るプロジェクターの光学系を示す概平面図。
【図２】光変調装置の概斜視図。
【図３】ベース部材の概平面図。
【図４】光変調装置をベース部材に固定した概平面図。
【図５】第２実施形態に係る光変調装置の概斜視図。
【図６】摺動部材の概斜視図。
【図７】ベース部材の概平面図。
【図８】第１固定部、摺動部材、および第２固定部を示す図であり、（ａ）は第２固定部に摺動部材を組み込んだ状態を示す概斜視図であり、（ｂ）は摺動部材を介して第１固定部を第２固定部に組み込んだ状態を示す概断面図。
【図９】摺動部材の第２円柱部が光変調装置の孔部に遊挿された状態を示す概斜視図。
【図１０】摺動部材を介して光変調装置をベース部材に固定した概平面図。
【発明を実施するための形態】
【００２３】
以下、実施形態を図面に基づいて説明する。
（第１実施形態）
【００２４】
図１は、第１実施形態に係るプロジェクターの光学系を示す概平面図である。図１を参照して、プロジェクター１の光学系４の構成および動作を簡単に説明する。
【００２５】
なお、本実施形態を説明する図１および以降で説明する図において、プロジェクター１に対し、投写レンズ４７１の投写光軸Ｂの方向をＹ軸方向、Ｙ軸方向に直交する光源ランプ４１の照明光軸Ａの方向をＸ軸方向、Ｙ軸方向とＸ軸方向とに直交する方向をＺ方向、としたＸＹＺ直交座標系で示す。また、投写レンズ４７１内を光束が進む方向を＋Ｙ方向、＋Ｙ方向に沿って右方向を＋Ｘ方向、＋Ｙ方向に沿って上方向を＋Ｚ方向とする。なお、Ｚ軸方向は、プロジェクター１の高さ方向（厚み方向）となる。
【００２６】
図１に示すように、プロジェクター１の光学系４は、制御部（図示省略）による制御により、画像信号に基づいて画像光を形成するものである。光学系４は、光源装置（光源ランプ４１）、照明光学装置４２、色分離光学装置４３、リレー光学装置４４、光学装置４５、色合成光学装置４６、投写光学装置４７、および光学部品用筐体４８を備えている。
【００２７】
光源ランプ４１は、発光管４１１およびリフレクター４１２を有し、発光管４１１の発光により光束をリフレクター４１２で反射させて、被照明領域に射出するものである。
照明光学装置４２は、光源ランプ４１から射出された光束に対し、照明光軸Ａに直交する面内での照度を均一化するためのものである。照明光学装置４２は、レンズアレイ４２２，４２３、偏光変換素子４２４、および重畳レンズ４２５を有している。また、照明光学装置４２は、３つのフィールドレンズ４２９を有している。フィールドレンズ４２９は、光学装置４５の３つの液晶パネル１１（光変調素子）の手前に配置され、レンズアレイ４２２から射出された各部分光束をその中心軸に対して平行な光束に変換する。
【００２８】
色分離光学装置４３は、照明光学装置４２からの照明光束を赤色（Ｒ）、緑色（Ｇ）、および青色（Ｂ）の３つの色光に分離して３つの液晶パネル１１に導光するものである。色分離光学装置４３は、ダイクロイックミラー４３１，４３２、および反射ミラー４３３を有している。
【００２９】
リレー光学装置４４は、色分離光学装置４３で分離された色光（本実施形態では赤色光）に対し、光路の長さが他の色光の光路の長さよりも長くなるため、光の発散などによる光の利用効率の低下を防止し、液晶パネル１１（本実施形態では液晶パネル１１Ｒ）まで導くものである。リレー光学装置４４は、入射側レンズ４４１、リレーレンズ４４３、および反射ミラー４４２，４４５を有している。
【００３０】
光学装置４５は、各液晶パネル１１に入射した各色光を画像信号に基づいて変調して色光毎の画像光を形成するものである。光学装置４５は、光変調素子としての３つの液晶パネル１１、３つの入射側偏光板４５２、３つの射出側偏光板４５３を有している。なお、光変調素子としての液晶パネル１１は、液晶パネル１１を固定するフレーム１５（図２参照）に固定される。なお、フレーム１５に液晶パネル１１を固定（収容）したものが光変調装置１０（図２参照）となる。
【００３１】
液晶パネル１１は、入射側偏光板４５２を介して入射する光束を画像信号に基づいて変調して射出する。また、液晶パネル１１は、赤色光用変調素子としての赤色光用の液晶パネル１１Ｒ、緑色光用変調素子としての緑色光用の液晶パネル１１Ｇ、および青色光用変調素子としての青色光用の液晶パネル１１Ｂとの３つで構成されている。
【００３２】
入射側偏光板４５２は、色分離光学装置４３で分離された各色光のうち、一定方向の偏光光のみ透過させ、その他の光束を吸収するものである。また、射出側偏光板４５３も、入射側偏光板４５２と略同様に構成され、液晶パネル１１から射出された光束のうち、所定方向の偏光光のみ透過させ、その他の光束を吸収するものであり、透過させる偏光光の偏光軸は、入射側偏光板４５２における透過させる偏光光の偏光軸に対して直交するように設定されている。なお、入射側偏光板４５２および射出側偏光板４５３は、３つの液晶パネル１１（１１Ｒ，１１Ｇ，１１Ｂ）に併せて、３つの入射側偏光板４５２（４５２Ｒ，４５２Ｇ，４５２Ｂ）と３つの射出側偏光板４５３（４５３Ｒ，４５３Ｇ，４５３Ｂ）を有している。
【００３３】
色合成光学装置４６は、光学装置４５で形成された色光毎の画像光を合成するものである。色合成光学装置４６は、クロスダイクロイックプリズム４６１を有している。クロスダイクロイックプリズム４６１には、赤色光を反射する誘電体多層膜と青色光を反射する誘電体多層膜とが、４つの直角プリズムの界面に沿って略Ｘ字状に設けられ、これらの誘電体多層膜により３つの色光が合成される。クロスダイクロイックプリズム４６１によって合成された色光は光学像として、投写光学装置４７に向けて射出される。
【００３４】
投写光学装置４７は、複数のレンズから構成される投写レンズ４７１を有して構成されている。投写光学装置４７は、色合成光学装置４６で合成された画像光を投写レンズ４７１で拡大してスクリーン（図示省略）に拡大投写する。なお、投写レンズ４７１の光軸を投写光軸Ｂで図示している。なお、上述した各光学装置４１，４２〜４６に関しての詳細な説明は省略する。
【００３５】
図２は、光変調装置の概斜視図である。図３は、ベース部材の概平面図である。図４は、光変調装置をベース部材に固定した概平面図である。図２〜図４を参照して、光変調装置１０の構成、ベース部材５０の構成、および光変調装置１０のベース部材５０への固定に関して説明する。
【００３６】
最初に、図２、図４を参照して、本実施形態の光変調装置１０の構成を説明する。
光変調装置１０は、上述したように、光学系４における光学装置４５を構成している。そして、本実施形態の光変調装置１０は、光変調素子としての液晶パネル１１と、液晶パネル１１を収容して固定するフレーム１５と、画像信号を液晶パネル１１に伝達して駆動するケーブル１９とを有して構成されている。
【００３７】
なお、図２に示す光変調装置１０は、説明の便宜上、図１に示す３つの液晶パネル１１のうち、赤色光用の液晶パネル１１Ｒを図示している。なお、他の液晶パネル１１Ｇ，１１Ｂも液晶パネル１１Ｒと同様に構成される。
【００３８】
液晶パネル１１（１１Ｒ）は、画素電極（図示省略）と画素電極に接続されるスイッチング素子（図示省略）とを有する素子基板１１１（図４参照）と、素子基板１１１に対向して設置された対向基板１１２（図４参照）とを有している。本実施形態では、スイッチング素子として、ポリシリコンＴＦＴ（Thin Film Transistor）を用いている。また、液晶パネル１１は、素子基板１１１と対向基板１１２とに挟まれて液晶が密封封入されている。
【００３９】
また、液晶パネル１１は、対向基板１１２に比べて素子基板１１１の外形が大きく形成されている。そして、素子基板１１１の光束入射側外面の上部にはケーブル１９が接続されている。そして、液晶パネル１１は、素子基板１１１の光束射出側外面に、素子基板１１１の外形と略同様の大きさの透明ガラス１２が接合されている。また、対向基板１１２の光束入射側外面にも、透明ガラス１２と同様の大きさの透明ガラス１３が接合されている。
【００４０】
液晶パネル１１は、入射側偏光板４５２および透明ガラス１３を介して入射する光束を、ケーブル１９を介して入力する画像信号に基づいて変調する。なお、液晶パネル１１で変調されて射出された光束は、透明ガラス１２および射出側偏光板４５３を介してクロスダイクロイックプリズム４６１に入射する。
【００４１】
なお、光変調装置１０をプロジェクター１に搭載した場合、内部に侵入した塵埃は透明ガラス１２の光束射出側外面１２Ｂ（図４参照）や、透明ガラス１３の光束入射側外面１３Ａ（図２、図４参照）に付着することになる。透明ガラス１２，１３を配置することにより、プロジェクター１を駆動（光変調装置１０を駆動）して光学像をスクリーンなどに投写した際に、付着する塵埃は投写レンズ４７１の焦点からずれることになる。従って、透明ガラス１２，１３を用いることで、付着する塵埃の投写影を目立たせなくすることができる。
【００４２】
フレーム１５は、矩形状をなすフレーム本体１５１で形成されている。中央には、入射側開口部１５２、射出側開口部（図示省略）が形成されている。また、フレーム本体１５１の上面には、ケーブル１９を挿通するケーブル用孔１５８が貫通して形成されている。また、フレーム１５は、フレーム本体１５１の上面と下面の光束入射側および光束射出側に、上フィン部１５４および下フィン部１５５が形成されている。また、上フィン部１５４および下フィン部１５５は、フレーム本体１５１から延出して形成されている。なお、上フィン部１５４および下フィン部１５５の光束入射側および光束射出側への延出量は略同量に設定されている。
【００４３】
ここで、上フィン部１５４は、光束入射側の入射側上フィン部１５４１と光束射出側の射出側上フィン部１５４２とで構成されている。また、下フィン部１５５は、光束入射側の入射側下フィン部１５５１と光束射出側の射出側下フィン部１５５２とで構成されている。
【００４４】
フレーム１５の入射側下フィン部１５５１の先端中央部には、切り欠き部１５５１Ａが形成される。その切り欠き部１５５１Ａに第１固定部１６０が形成される。詳細には、第１固定部１６０は、切り欠き部１５５１Ａから継手部１６１が形成され、継手部１６１の先端部には略円板状の突出部１６２が形成されている。なお、この突出部１６２は、下フィン部１５５の下面よりも下方に突出して形成されている。また、この突出部１６２は、フレーム１５（フレーム本体１５１）の上部の外形に対し、光変調装置１０の光束入射側に延出して形成される形態となる。
【００４５】
なお、突出部１６２に相対する入射側上フィン部１５４１の領域には、切り欠き部１５４１Ａが形成されている。上述したように、突出部１６２が、フレーム１５（フレーム本体１５１）の上部の外形に対し、光変調装置１０の光束入射側に延出して形成されること、および切り欠き部１５４１Ａにより、突出部１６２は、平面視（＋Ｚ側から視認した場合）で、視認可能に形成される。
【００４６】
また、フレーム１５の射出側下フィン部１５５２の側部（＋Ｙ方向）にも第１固定部１６０が形成される。詳細には、射出側下フィン部１５５２の側部（＋Ｙ方向）に継手部１６３が形成され、継手部１６３の先端部には略円板状の突出部１６４が形成されている。なお、この突出部１６４は、下フィン部１５５の下面よりも下方に突出して形成されている。同様に、フレーム１５の射出側下フィン部１５５２の側部（−Ｙ方向）にも第１固定部１６０が形成される。詳細には、射出側下フィン部１５５２の側部（−Ｙ方向）に、継手部１６５が形成され、継手部１６５の先端部には略円板状の突出部１６６が形成されている。なお、この突出部１６６は、下フィン部１５５の下面よりも下方に突出して形成されている。
【００４７】
継手部１６３，１６５、および突出部１６４，１６６は、共にフレーム本体１５１に対して対称に形成されている。また、この突出部１６４，１６６は、フレーム１５（フレーム本体１５１）の上部の外形に対し、光変調装置１０の光束射出側に延出して形成される形態となっている。これにより、突出部１６４，１６６は、平面視で、視認可能に形成される。
【００４８】
第１固定部１６０は、光変調装置１０の光束入射側に１つ（突出部１６２）、光束射出側に２つ（突出部１６４，１６６）の、合計３つで構成されている。
【００４９】
次に、図３を参照して、ベース部材５０の構成を説明する。
ベース部材５０は、光変調装置１０を固定する部材である。本実施形態のベース部材５０は、光変調装置１０を冷却するための流路５１を構成している。
【００５０】
ベース部材５０は、図３に示すように、略Ｕ字形状をなして形成される。流路５１は、色光毎に設置される光変調装置１０を、順次（本実施形態では、青色光、緑色光、赤色光の順）、空冷により冷却するための冷却風を流動させるものである。流路５１は、Ｘ-Ｙ平面方向に形成する平面をベース面５２として有し、その中心部にクロスダイクロイックプリズム４６１を固定している。クロスダイクロイックプリズム４６１の３方向の側面には、射出側偏光板４５３Ｒ，４５３Ｇ，４５３Ｂをそれぞれ貼着したガラス基板４５５が貼着されている。
【００５１】
ベース面５２の外周端部には、上方向（＋Ｚ方向）に起立する壁５３が形成される、この壁５３には、クロスダイクロイックプリズム４６１の３方向の側面に対応させて、入射側偏光板４５２Ｒ，４５２Ｇ，４５２Ｂをそれぞれ貼着したガラス基板４５４を上方向から挿入して固定する挿入部５３１が形成される。
【００５２】
投写レンズ４７１側の流路５１のベース面５２の外周端部にも、上方向（＋Ｚ方向）に起立する壁５４が形成される。また、ベース面５２の平面形状と略同形状に形成される図示省略する蓋部材を、この壁５３，５４に上方から載置して、ベース面５２および壁５３，５４を覆い、ダクトの形態とすることで、冷却風が実際に流動する流路５１１が形成される。
【００５３】
流路５１の一方の端部となる流路開口部５１Ａが本実施形態では冷却風の流入口となる。そして、流路開口部５１Ａに対して、矢印Ｃで示すように、冷却ファン（図示省略）から吐出された冷却風が流入する。そして、冷却風は、ベース面５２、壁５３，５４、入射側偏光板４５２、クロスダイクロイックプリズム４６１、および図示省略する蓋部材などに囲まれて形成される流路５１１を流動する。そして、流路５１の他方の端部となる流路開口部５１Ｂから、矢印Ｄで示すように冷却風が流出する。
【００５４】
なお、クロスダイクロイックプリズム４６１の＋Ｙ方向には、流路５１に挟まれる形態となる投写レンズ４７１が設置される。
【００５５】
流路５１のベース面５２には、入射側偏光板４５２および射出側偏光板４５３に挟まれる領域に第２固定部５２０が形成されている。第２固定部５２０は、詳細には、長孔形状で貫通する３つの孔部５２１，５２２，５２３が形成されている。孔部５２１は、光変調装置１０（液晶パネル１１）の光束入射側の略中央部に位置し、液晶パネル１１の面方向と略垂直な方向に延びた長孔形状として形成される。また、孔部５２２，５２３は、液晶パネル１１の射出側の略両端部に位置し、液晶パネル１１の面方向と略垂直な方向に延びた長孔形状として形成される。
【００５６】
第２固定部５２０は、上述した光変調装置１０の第１固定部１６０（突出部１６２，１６４，１６６）を、対応するそれぞれの孔部５２１，５２２，５２３）により、長孔内部に遊挿するように受けるためのものである。また、第２固定部５２０は、各色光（赤色光、緑色光、青色光）用に対応させて形成されており、図３に示すように３セット形成される。
【００５７】
次に、図４を参照して、光変調装置１０のベース部材５０（流路５１）への固定に関して説明する。
本実施形態の光変調装置１０は、ベース部材５０に固定する構造となる。詳細には、流路５１のベース面５２に形成される第２固定部５２０（孔部５２１，５２２，５２３）に対して、光変調装置１０の第１固定部１６０（突出部１６２，１６４，１６６）を上方向（＋Ｚ方向）から挿入する。このとき、突出部１６２，１６４，１６６は、孔部５２１，５２２，５２３の長孔内部の断面位置に略位置する。なお、突出部１６２は孔部５２１に対応し、突出部１６４は孔部５２２に対応し、突出部１６６は孔部５２３に対応する。
【００５８】
孔部５２１，５２２，５２３に対して、光変調装置１０の突出部１６２，１６４，１６６を上方向（＋Ｚ方向）から挿入した後、図示省略する調整用治具により光変調装置１０を保持し、光変調装置１０の位置調整を行う。なお、本実施形態では、位置調整治具を光変調装置１０のフレーム１５の上部に設置して光変調装置１０を保持させている。
【００５９】
位置調整を行う場合には、最初に、光源ランプ４１を点灯し、位置調整する光変調装置１０（液晶パネル１１）に合わせた色光が、スクリーンに投写されるようにセットする。その後、調整用治具を動作させて、フォーカス調整を行いながら、６軸（Ｘ，Ｙ，Ｚ，θｘ，θｙ，θｚ）に対して液晶パネル１１の位置調整を行う。
【００６０】
次に、２つ目の光変調装置１０（液晶パネル１１）も、上述したと同様にして６軸の位置調整を行う。なお、この場合、最初に位置調整が終了した液晶パネル１１の画素電極（以降は、単に、画素と呼称する）に対し、２つ目の液晶パネル１１の対応する画素の位置を各々一致させる調整を行う。このように、２つ目の光変調装置１０の位置調整を行う。
【００６１】
次に、３つ目の光変調装置１０（液晶パネル１１）も、上述したと同様にして６軸の位置調整を行う。なお、この場合も、最初に位置調整が終了した２つの液晶パネル１１の画素に対し、３つ目の液晶パネル１１の対応する画素の位置をそれぞれ一致させる調整を行う。この調整により、３つの光変調装置１０の位置調整が終了する。
【００６２】
孔部５２１は、光変調装置１０の突出部１６２を遊挿できるよう形成されているため、前述した位置調整を行う場合、突出部１６２は孔部５２１内部で可動自在となる。その他の孔部５２２，５２３も、対応する突出部１６４，１６６を遊挿できるよう形成されているため、突出部１６４，１６６は対応する孔部５２２，５２３内部で可動自在となる。これにより、光変調装置１０の位置調整は、スムーズに行うことができる。
【００６３】
各光変調装置１０の位置調整が終了した後、注射器などを用いて、＋Ｚ方向から流路５１内に挿入し、第１固定部１６０と第２固定部５２０に対して接着剤（例えば、紫外線硬化型接着剤）を塗布する。これにより、突出部１６２と孔部５２１との隙間に接着剤が充填される。また、突出部１６４と孔部５２２、および突出部１６６と孔部５２３に対しても同様に接着剤を塗布する。その後、塗布した接着剤に紫外線を照射することにより、接着剤を硬化させる。これにより、各光変調装置１０は、調整された位置関係を保持して流路５１に固定される。
【００６４】
次に、図４を参照して、光変調装置１０の流路５１１内部での冷却に関して概略説明する。
冷却風は、流路開口部５１Ａから矢印Ｃで示すように流路５１１に流入し、最初に青色光用の光変調装置１０に当たり、光変調装置１０の光束入射側および光束射出側に流動する。この流動により、青色光用の液晶パネル１１Ｂが冷却される。同時に、青色光用の入射側偏光板４５２Ｂ、および青色光用の射出側偏光板４５３Ｂも冷却される。
【００６５】
次に、冷却風は、緑色光用の光変調装置１０に当たり、光変調装置１０の光束入射側および光束射出側に流動する。この流動により、緑色光用の液晶パネル１１Ｇが冷却される。同時に、緑色光用の入射側偏光板４５２Ｇ、および緑色光用の射出側偏光板４５３Ｇも冷却される。
【００６６】
次に、冷却風は、赤色光用の光変調装置１０に当たり、光変調装置１０の光束入射側および光束射出側に流動する。この流動により、赤色光用の液晶パネル１１Ｒが冷却される。同時に、赤色光用の入射側偏光板４５２Ｒ、および赤色光用の射出側偏光板４５３Ｒも冷却される。
【００６７】
このように、冷却風は、流路５１１を流動することにより、液晶パネル１１に対して、青色光用の液晶パネル１１Ｂ、緑色光用の液晶パネル１１Ｇ、そして赤色光用の液晶パネル１１Ｒという順番で、順次、冷却を行う。最後に冷却風は、流路開口部５１Ｂから、矢印Ｄで示すように流路５１１から流出する。流路５１１から流出した冷却風は、最終的にプロジェクター１外部に排気される。
【００６８】
上述した実施形態によれば、以下の効果が得られる。
本実施形態の光変調装置１０の固定構造は、ベース部材５０としての流路５１に形成した３つの第２固定部５２０（孔部５２１，５２２，５２３）に、光変調装置１０のフレーム１５の下部に有する３つの第１固定部１６０（突出部１６２，１６４，１６６）を遊挿して、可動可能に受ける構造となる。この構造により、第２固定部５２０に対して第１固定部１６０が可動することで、光変調装置１０をスムーズに可動して効率的に液晶パネル１１の６軸の位置調整を行うことができる。
【００６９】
また、第１固定部１６０をフレーム１５の下部に全て有するため、ベース部材５０に対して１方向（上方向）から光変調装置１０を設置でき、組み立て性が向上する。そして、フレーム１５の上部に、図示省略する位置調整治具を設置するなど、フレーム１５の上部を利用して位置調整を行うことができるため、効率的な構造で、位置調整を行うことができる。この構造により、省スペースで、光変調装置１０の固定および位置調整が可能となる。なお、この構造を用いることで、光変調装置１０の小型化や光変調装置１０を固定するベース部材５０（流路５１）の小型化を図ることができる。また、設計の自由度を向上することができる。
【００７０】
また、第１固定部１６０（第１固定部１６０に対応した第２固定部５２０）を複数（３つ）有するため、位置調整後、接着剤で第１固定部１６０と第２固定部５２０とを固定することにより、光変調装置１０をベース部材５０に安定して固定することができる。なお、本実施形態では、光束入射側に１つの第１固定部１６０（突出部１６２）、光束射出側に２つの第１固定部１６０（突出部１６４，１６６）を有することにより、３点固定とすることができ、少ない数量で安定した支持と固定が行える。
【００７１】
本実施形態の光変調装置１０の固定構造によれば、第１固定部１６０は、フレーム１５の上部の外形に対し、光変調装置１０の光束入射側および光束射出側に延出して形成されるため、第２固定部５２０に第１固定部１６０を組み立てる際の設置作業性の向上や、位置調整後の接着剤などによる固定作業性の向上を図ることができる。
【００７２】
本実施形態の光変調装置１０の固定構造によれば、第１固定部１６０は、フレーム１５の光変調装置１０の下部に形成される下フィン部１５５において、光束入射側および光束射出側に延出して形成されている。そして、突出部１６２は、上フィン部１５４の入射側上フィン部１５４１に形成した切り欠き部１５４１Ａにより、平面視で、視認可能に形成される。また、突出部１６４，１６６は、平面視で、フレーム１５（フレーム本体１５１）の外形に対し、光変調装置１０の光束射出側に延出して形成される形態となっている。これにより、突出部１６４，１６６は、平面視で、視認可能に形成される。このように第１固定部１６０が視認可能であり、しかも前述したように、光変調装置１０をベース部材５０に対して１方向から設置できることを含め、位置調整前において、第２固定部５２０に対して第１固定部１６０を効率的に確実に設置することができ、設置作業性の向上を図ることができる。また、位置調整後において、接着剤の塗布のし易さ向上および紫外線の照射のし易さ向上など含めた固定作業性の向上を図ることができる。
【００７３】
本実施形態の光変調装置１０の固定構造によれば、第１固定部１６０は、突出部１６２，１６４，１６６を有し、第２固定部５２０は、突出部１６２，１６４，１６６を遊挿する孔部５２１，５２２，５２３を有している。これにより、第２固定部５２０の孔部５２１，５２２，５２３に、第１固定部１６０の突出部１６２，１６４，１６６を遊挿するという簡易な構成で、位置調整および固定を行うことができる。
【００７４】
本実施形態の光変調装置１０の固定構造によれば、突出部１６２，１６４，１６６と孔部５２１，５２２，５２３という簡易な構成のため、双方の固定部（第１固定部１６０、第２固定部５２０）の大きさや位置も、設計上からの制約に応じて設定できる自由度を有している。このため固定部の大きさを設定し、必要とする接着面積（接着力）を確保して固定できる。これにより、光変調装置１０のベース部材５０との固定における耐環境性能（振動・衝撃・熱衝撃・高温低温環境など）も向上させることができる。
【００７５】
本実施形態の光変調装置１０の固定構造によれば、突出部１６２，１６４，１６６と孔部５２１，５２２，５２３という簡易な構成のため、市場において光変調装置１０に品質不良が発生した場合の交換の際などには、孔部５２１，５２２，５２３から突出部１６２，１６４，１６６を押圧することにより、容易に光変調装置１０を取り外すことができる。従って、光変調装置１０のメンテナンス性を向上させることができる。
【００７６】
本実施形態のプロジェクター１によれば、ベース部材５０は、光変調装置１０を空冷により冷却する流路５１を構成しているため、ベース部材５０に前述したように固定した光変調装置１０を、効率的に空冷により冷却することができる。また、本実施形態の光変調装置１０は、フレーム本体１５１から延出する上フィン部１５４、下フィン部１５５を有しているため、液晶パネル１１で発生する熱を冷却風により効率的に放熱することができ、更に効率的に液晶パネル１１を冷却することができる。
（第２実施形態）
【００７７】
図５は、第２実施形態に係る光変調装置の概斜視図である。図５を参照して、光変調装置２０の構成および動作を説明する。なお、図５に示す光変調装置２０は、第１実施形態と同様に、説明の便宜上、図１に示す３つの液晶パネル１１のうち、赤色光用の液晶パネル１１Ｒを図示している。なお、他の液晶パネル１１Ｇ，１１Ｂも液晶パネル１１Ｒと同様に構成される。
【００７８】
本実施形態の光変調装置２０は、第１実施形態の光変調装置１０と同様の液晶パネル１１、および透明ガラス１２，１３を有して構成されている。第１実施形態と異なる点は、光変調装置２０を構成するフレーム２５が有する第１固定部１７０の形状が、第１実施形態のフレーム１５が有する第１固定部１６０の形状と異なっていることである。なお、第１実施形態の光変調装置１０と同様の構成部には同様の符号を付記し、説明は省略する。
【００７９】
本実施形態の光変調装置２０を構成するフレーム２５は、入射側下フィン部１５５１の先端中央部に、第１固定部１７０が形成されている。第１固定部１７０は、詳細には、長孔形状で貫通する孔部１７１で形成されている。なお、孔部１７１は、光束入射側から光束射出側（液晶パネル１１の面方向と略垂直な方向）に延びた長孔形状として形成されている。
【００８０】
なお、孔部１７１に相対する入射側上フィン部１５４１の領域には、切り欠き部１５４１Ｂが形成されている。上述したように、第１固定部１７０（孔部１７１を形成する入射側下フィン部１５５１）が、フレーム２５（フレーム本体１５１）の上部の外形に対し、光変調装置２０の光束入射側に延出して形成されること、および切り欠き部１５４１Ｂにより、孔部１７１は、平面視で、視認可能に形成される。
【００８１】
また、フレーム２５の射出側下フィン部１５５２の側部（＋Ｙ方向）にも第１固定部１７０が形成される。詳細には、射出側下フィン部１５５２の側部（＋Ｙ方向）に延出する延出部１７２が形成され、この延出部１７２の略中央部に、長孔形状で貫通する孔部１７３が形成される。同様に、フレーム２５の射出側下フィン部１５５２の側部（−Ｙ方向）にも第１固定部１７０が形成される。詳細には、射出側下フィン部１５５２の側部（−Ｙ方向）に延出する延出部１７４が形成され、この延出部１７４の略中央部に、長孔形状で貫通する孔部１７５が形成される。なお、孔部１７３，１７５は、液晶パネル１１の面方向と略平行な方向（孔部１７１に対して略垂直方向）に延びた長孔形状として形成されている。
【００８２】
延出部１７２，１７４、および孔部１７３，１７５は、共にフレーム本体１５１に対して対称に形成されている。また、この延出部１７２，１７４、および孔部１７３，１７５は、フレーム２５（フレーム本体１５１）の上部の外形に対し、光変調装置２０の光束射出側に延出して形成される形態となっている。これにより、孔部１７３，１７５は、平面視で、視認可能に形成される。
【００８３】
なお、第１固定部１７０（孔部１７１，１７３，１７５）は、後述する摺動部材６０の第２円柱部６２を遊挿することが可能な形状に形成されている。また、第１固定部１７０は、光変調装置２０の光束入射側に１つ（孔部１７１）、光束射出側に２つ（孔部１７３，１７５）の、合計３つで構成されている。
【００８４】
図６は、摺動部材の概斜視図である。図６を参照して、摺動部材６０の構造に関して説明する。
本実施形態の摺動部材６０は、第１固定部１７０と、後述する第２固定部５５０との間に設置され、双方に対して摺動可能となる部材である。摺動部材６０は、円柱形状の第１円柱部６１と、第１円柱部６１の長手方向略中心部から垂直方向に突出する円柱形状の第２円柱部６２とを有して構成されている。摺動部材６０は、略Ｔ字形状に形成されている。また、摺動部材６０は、固定の際に使用する紫外線を透過する部材で構成されている。
【００８５】
図７は、ベース部材の概平面図である。図８は、第１固定部、摺動部材、および第２固定部を示す図であり、図８（ａ）は、第２固定部に摺動部材を組み込んだ状態を示す概斜視図であり、図８（ｂ）は、摺動部材を介して第１固定部を第２固定部に組み込んだ状態を示す概断面図である。図９は、摺動部材の第２円柱部が光変調装置の孔部に遊挿された状態を示す概斜視図である。図１０は、摺動部材を介して光変調装置をベース部材へ固定した概平面図である。なお、図７は、第２固定部５５０に摺動部材６０を組み込んだ図として図示している。図７〜図１０を参照して、ベース部材５５の構成、および光変調装置２０のベース部材５５への固定に関して説明する。
【００８６】
最初に、ベース部材５５の構成を説明する。
本実施形態のベース部材５５は、第１実施形態と同様に、光変調装置２０を固定する部材である。また、ベース部材５５は、第１実施形態と同様に、光変調装置２０を冷却するための流路５１を構成している。図７に示すように、ベース部材５５が第１実施形態のベース部材５０と異なる点は、第１実施形態では、第２固定部５２０が直接第１固定部１６０を受けていたが、本実施形態では、第２固定部５５０は、摺動部材６０を介して第１固定部１７０を受ける点である。このため、ベース面５２に形成される第２固定部５５０の形状などが異なる。なお、第１実施形態のベース部材５０と同様の構成部には同様の符号を付記し、説明は省略する。
【００８７】
流路５１のベース面５２には、入射側偏光板４５２および射出側偏光板４５３に挟まれる領域で、第２固定部５５０が形成されている。第２固定部５５０は、詳細には、断面形状が略Ｕ字形状の３つの溝部５５１，５５２，５５３が形成されている。溝部５５１は、光変調装置２０（液晶パネル１１）の光束入射側の略中央部に位置し、液晶パネル１１の面方向と略平行な方向に延びて形成される。また、溝部５５２，５５３は、液晶パネル１１の射出側の略両端部に位置し、液晶パネル１１の面方向と略垂直な方向に延びて形成される。また、第２固定部５５０は、各色光（赤色光、緑色光、青色光）用に対応させて形成されており、図７に示すように３セット形成される。
【００８８】
次に、図７〜図１０を参照して、光変調装置２０のベース部材５５（流路５１）への固定に関して説明する。なお、図８は、説明の便宜上、赤色光用の光変調装置２０を固定する第２固定部５５０の３つの溝部５５１，５５２，５５３のうち、１つの溝部５５２を図示している。なお、他の溝部５５１，５５３も同様であり、また、他の色光用の光変調装置２０に対応する第２固定部５５０も同様となる。
【００８９】
本実施形態の光変調装置２０は、摺動部材６０を介して、ベース部材５５に固定する構造となる。詳細には、図７、図８に示すように、流路５１のベース面５２に形成された第２固定部５５０の溝部５５１，５５２，５５３に対して、摺動部材６０の第１円柱部６１を上方向（＋Ｚ方向）から各々載置する。このとき、第２円柱部６２が上方向（＋Ｚ方向）を向くように載置する。なお、溝部５５１は孔部１７１に対応し、溝部５５２は孔部１７３に対応し、溝部５５３は孔部１７５に対応している。
【００９０】
ここで、溝部５５２は、詳細には、図８に示すように、摺動部材６０の第１円柱部６１の外周曲面を受ける溝面５５２Ａと、溝面５５２Ａに接続し、若干の傾斜を伴ってベース面５２の表面に接続する傾斜平面５５２Ｂ，５５２Ｃとで構成されている。溝面５５２Ａは、後述する光変調装置２０の位置調整に伴う第１円柱部６１の外周曲面の摺動を許容している。また、傾斜平面５５２Ｂ，５５２Ｃは、光変調装置２０の位置調整に伴う第２円柱部６２の傾斜を許容している。なお、他の溝部５５１，５５３も、溝部５５２と同様に構成される。
【００９１】
なお、図８（ａ）に示すように、溝部５５２に、第１円柱部６１を載置した場合、溝部５５２の長手方向の両端部と第１円柱部６１の軸方向両端部とに隙間を有する形態となる。この隙間は、光変調装置２０の位置調整を行う場合、第１円柱部６１に長手方向（軸方向）の摺動量を与えている。他の溝部５５１，５５３も、溝部５５２と同様である。
【００９２】
第２固定部５５０の溝部５５１，５５２，５５３に、摺動部材６０（第１円柱部６１）を載置した後、摺動部材６０（第２円柱部６２）に光変調装置２０の第１固定部１７０を載置する。詳細には、摺動部材６０を溝部５５１，５５２，５５３に載置し、上方向（＋Ｚ方向）を向いている第２円柱部６２（図８（ａ）を参照）に対して、第１固定部１７０の孔部１７１，１７３，１７５を上方向（＋Ｚ方向）から挿入する。
【００９３】
なお、図８（ｂ）では、溝部５５２（第２固定部５５０）に第１円柱部６１（摺動部材６０）を載置し、第２円柱部６２（摺動部材６０）を孔部１７３（第１固定部１７０）に遊挿した状態の断面図を示している。また、図９では、第２円柱部６２（摺動部材６０）が光変調装置１０の孔部１７１，１７３，１７５（第１固定部１７０）に遊挿された状態を−Ｚ方向から見た斜視図を示している。
【００９４】
図１０に示すように、第２固定部５５０に摺動部材６０を載置し、摺動部材６０に光変調装置２０の第１固定部１７０を載置した後、第１実施形態と同様に、光変調装置２０の位置調整を行う。位置調整は、第１実施形態と同様に、図示省略する調整用治具により光変調装置２０を保持し、６軸（Ｘ，Ｙ，Ｚ，θｘ，θｙ，θｚ）に対して液晶パネル１１の位置調整を行う。
【００９５】
２つ目の光変調装置２０（液晶パネル１１）も、上述したと同様にして６軸の位置調整を行う。なお、この場合、第１実施形態と同様に、最初に位置調整が終了した液晶パネル１１の画素に対し、２つ目の液晶パネル１１の対応する画素の位置を各々一致させる調整を行う。このように、２つ目の光変調装置２０の位置調整を行う。３つ目の光変調装置２０の位置調整も、第１実施形態と同様となるため、説明を省略する。
【００９６】
なお、位置調整時において、調整用治具により光変調装置２０が移動する場合、図８（ｂ）に示すように、摺動部材６０は、孔部１７３の移動に従動し、孔部１７３および溝部５５２（溝面５５２Ａ、傾斜平面５５２Ｂ，５５２Ｃ）の形状の範囲内で自由に摺動する。これにより、摺動部材６０は、光変調装置２０の動きに柔軟に追従することで、スムーズに摺動する。他の孔部１７１，１７５においても同様となる。
【００９７】
各光変調装置２０の位置調整が終了した後、注射器などを用いて、＋Ｚ方向から流路５１内に挿入し、第１固定部１７０、摺動部材６０、および第２固定部５５０に対して接着剤（例えば、紫外線硬化型接着剤）を塗布する。これにより、孔部１７３と摺動部材６０との隙間、および摺動部材６０と溝部５５２との隙間に接着剤が充填される。
【００９８】
また、孔部１７１と摺動部材６０と溝部５５１、および、孔部１７５と摺動部材６０と溝部５５３に対しても同様に接着剤を塗布する。その後、塗布した接着剤に紫外線を照射することにより、接着剤を硬化させる。これにより、各光変調装置２０は、調整された位置関係を保持して流路５１に固定される。
【００９９】
なお、第１実施形態と同様の光学系４と、本実施形態の光変調装置２０およびベース部材５５を用いて、プロジェクター２が構成される。このプロジェクター２において、光変調装置２０の流路５１１内部での冷却のされ方に関しては、第１実施形態での光変調装置１０の流路５１１内部での冷却と同様となるため、説明を省略する。
【０１００】
上述した実施形態によれば、以下の効果が得られる。
本実施形態の光変調装置２０の固定構造によれば、複数の第１固定部１７０と、複数の第１固定部１７０に対応する第２固定部５５０との間に設置され、双方に対して摺動可能な摺動部材６０を備えている。これにより、摺動部材６０は、第１固定部１７０と第２固定部５５０との双方に対して柔軟で安定した摺動を行わせることができ、液晶パネル１１の６軸の位置調整を安定して行うことができる。また、位置調整後、接着剤で固定する場合、摺動部材６０を備えることで、接着する表面積が広くなることなどにより、光変調装置２０をベース部材５５に確実に固定することができる。
【０１０１】
本実施形態の光変調装置２０の固定構造によれば、摺動部材６０は、第１円柱部６１と、第１円柱部６１の長手方向略中心部から垂直方向に突出する第２円柱部６２と、を有している。また、第２固定部５５０は、摺動部材６０の第１円柱部６１を摺動可能に受ける溝部５５１，５５２，５５３を有し、第１固定部１７０は、摺動部材６０の第２円柱部６２を遊挿する孔部１７１，１７３，１７５を有している。これにより、第２固定部５５０の溝部５５１，５５２，５５３と摺動部材６０の第１円柱部６１、および、第１固定部１７０の孔部１７１，１７３，１７５と摺動部材６０の第２円柱部６２とが、液晶パネル１１の６軸の位置調整時にスムーズに摺動することで、光変調装置２０の動きに柔軟に追従することができ、効率的に位置調整を行うことができる。また、調整後、第１固定部１７０と摺動部材６０と第２固定部５５０とを、接着剤などで固定する場合、摺動部材６０が第１円柱部６１と第２円柱部６２で形成されるため、円柱の表面を接着剤が流動し易くなり、更に確実な接着を行えることで、固定力を向上することができる。
【０１０２】
本実施形態の光変調装置２０の固定構造によれば、溝部５５１，５５２，５５３は、光束入射側と光束射出側とで、略直行する方向となるように形成されている。詳細には、光束入射側となる溝部５５１と、光束射出側となる溝部５５２，５５３とは、溝の方向が略直行する方向となっている。この構成により、どの方向からの振動や衝撃に対しても、光変調装置２０のベース部材５５への固定力を確保することができる。また、固定力を確保することにより、耐環境性能（振動・衝撃）を向上させることができ、投写画像における画素ズレなどの画質性能を損なうことを防止できる。また、光変調装置２０のフレーム２５および流路５１の形状・サイズ・材質などの違いにより、温度変化に伴う膨張量に差が生じるが、摺動部材６０の形状および接着剤の弾性を利用して、膨張による歪みを吸収することができる。このため、耐環境性能（熱衝撃・高温低温環境）を向上させることができ、投写画像における画素ズレなどの画質性能を損なうことを防止できる。
【０１０３】
本実施形態の光変調装置２０の固定構造によれば、第１固定部１７０は、フレーム２５の下部に形成され、また、光変調装置２０の光束入射側および光束射出側に延出して形成される。このため、ベース部材５５に対して１方向（上方向）から光変調装置２０を設置でき、組み立て性が向上する。そして、フレーム２５の上部に、図示省略する位置調整治具を設置するなど、フレーム２５の上部を利用して位置調整を行うことができるため、効率的な構造で、位置調整を行うことができる。この構造により、省スペースで、光変調装置２０の固定および位置調整が可能となる。
【０１０４】
本実施形態の光変調装置２０の固定構造によれば、第１固定部１７０は、フレーム２５の上部の外形に対し、光変調装置２０の光束入射側および光束射出側に延出して形成されるため、第２固定部５５０に摺動部材６０を介して第１固定部１７０を組み立てる際の設置作業性の向上や、位置調整後の接着剤などによる固定作業性の向上を図ることができる。
【０１０５】
本実施形態の光変調装置２０の固定構造によれば、光束入射側に１つの第１固定部１７０（孔部１７１）、光束射出側に２つの第１固定部１７０（孔部１７３，１７５）を有することにより、３点固定とすることができ、少ない数量で安定した支持と固定が行える。
【０１０６】
本実施形態の光変調装置２０の固定構造によれば、第１固定部１７０は、フレーム２５の光変調装置２０の下部に形成される下フィン部１５５において、光束入射側および光束射出側に延出して形成されている。そして、孔部１７１は、上フィン部１５４の入射側上フィン部１５４１に形成した切り欠き部１５４１Ｂにより、平面視で、視認可能に形成される。また、孔部１７３，１７５は、フレーム２５（フレーム本体１５１）の上部の外形に対し、光変調装置２０の光束射出側に延出して形成される形態となっている。これにより、孔部１７３，１７５は、平面視で、視認可能に形成される。このように第１固定部１７０が視認可能であり、しかも前述したように、光変調装置２０をベース部材５５に対して１方向から設置できることを含め、位置調整前において、第１固定部１７０を、摺動部材６０を介し、第２固定部５５０に効率的に確実に設置することができ、設置作業性の向上を図れる。また、位置調整後において、接着剤の塗布のし易さ向上および紫外線の照射のし易さ向上など含めた固定作業性の向上を図ることができる。
【０１０７】
本実施形態のプロジェクター２によれば、ベース部材５５は、光変調装置２０を空冷により冷却する流路５１を構成しているため、ベース部材５５に上述したように固定した光変調装置２０を、効率的に空冷により冷却することができる。また、本実施形態の光変調装置２０は、フレーム本体１５１から延出する上フィン部１５４、下フィン部１５５を有しているため、液晶パネル１１で発生する熱を冷却風により効率的に放熱することができ、更に効率的に液晶パネル１１を冷却することができる。
【０１０８】
なお、上述した実施形態に限定されず、その要旨を逸脱しない範囲において種々の変更や改良などを加えて実施することが可能である。変形例を以下に述べる。
【０１０９】
前記第１実施形態では、光変調装置１０のフレーム１５の下部に第１固定部１６０を形成しているが、フレーム１５の上部に第１固定部を形成してもよい、その場合、ベース部材５０としての流路５１を上下逆転して構成してもよい。または、流路５１の一部を構成する図示省略した蓋部材に第２固定部を形成して光変調装置１０を固定することでもよい。これは、第２実施形態に対しても同様である。
【０１１０】
前記第１実施形態では、光束入射側に１つの第１固定部１６０（突出部１６２）を有し、光束射出側に２つの第１固定部１６０（突出部１６４，１６６）を有することにより、３点固定としている。しかし、これに限られず、光束入射側に２つの第１固定部を有し、光束射出側に１つの第１固定部を有することにより、３点固定としてもよい。これにより、少ない個数の第１固定部で、効率的に、安定した支持と固定が行える。これは、第２実施形態に対しても同様である。
【０１１１】
前記第１実施形態では、光変調装置１０には、３つの第１固定部１６０を有している。しかし、これに限られず、２つの第１固定部を有していてもよい。また、４つ以上の第１固定部を有していてもよい。なお、２つの第１固定部を有する場合には、光変調装置１０の設置の安定性を考慮して、一方の第１固定部の幅を広くすることが好ましい。これは、第２実施形態に対しても同様である。
【０１１２】
前記第１実施形態では、フレーム１５の上部および下部に上フィン部１５４、下フィン部１５５を有しているが、有さなくてもよい。これは、第２実施形態に対しても同様である。
【０１１３】
前記第１実施形態において、第１固定部１６０の突出部１６２，１６４，１６６は、略円板状に形成されている。しかし、突出部は、円板形状には限られず、孔部５２１，５２２，５２３に遊挿できる凸形状のものであればよく、形状に対する自由度を有している。例えば、丸ピン形状や角ピン形状であってもよい。また、突出部１６２，１６４，１６６は、第１固定部１６０の継手部１６１，１６３，１６５の先端部に一体成形により形成されているが、第１固定部１６０の継手部１６１，１６３，１６５に別部材のピンを打ち込んで突出部を形成してもよい。
【０１１４】
前記第１、第２実施形態の光変調装置１０は、赤色光、緑色光、および青色光に対応して、３つの液晶パネル１１Ｒ，１１Ｇ，１１Ｂを用いる構成のいわゆる３板方式を採用している。しかし、これに限られず、単板方式を採用してもよい。また、コントラストを向上させるための液晶パネルを追加して採用してもよい。
【０１１５】
前記第１、第２実施形態の光学系４は、光源装置（光源ランプ４１）から射出された光束の照度を均一化する光学系として、レンズアレイ４２２，４２３からなるレンズインテグレーター光学系を用いているが、これに限定されるものではなく、導光ロッドからなるロッドインテグレーター光学系も用いることができる。
【０１１６】
前記第１、第２実施形態の光学系４において、光変調素子としての液晶パネル１１は、透過型の液晶パネルを採用しているが、反射型の液晶パネルなど、反射型の光変調素子を用いることも可能である。そして、反射型の光変調素子を用いた光変調装置に対しても、光変調装置の固定構造を適用できる。
【０１１７】
前記第１、第２実施形態の光学系４において、光変調素子として液晶パネル１１を採用している。しかし、これに限られず、一般に、入射光束を画像信号に基づいて変調するものであればよく、マイクロミラー型光変調素子などを採用してもよい。なお、マイクロミラー型光変調素子としては、例えば、ＤＭＤ（Digital Micromirror Device）を用いることができる。そして、マイクロミラー型光変調素子を用いた光変調装置に対しても、光変調装置の固定構造を適用できる。
【０１１８】
前記第１、第２実施形態の光学系４において、光源装置（光源ランプ４１）は、放電式ランプを採用しているが、レーザーダイオード、ＬＥＤ（Light Emitting Diode）、有機ＥＬ（Electro Luminescence）素子、シリコン発光素子などの各種固体発光素子で構成してもよい。
【符号の説明】
【０１１９】
１，２…プロジェクター、４…光学系、１０，２０…光変調装置、１１…液晶パネル、１５，２５…フレーム、５０…ベース部材、５１…流路、５１Ａ…流路開口部、５１Ｂ…流路開口部、５２…ベース面、５３，５４…壁、５５…ベース部材、６０…摺動部材、６１…第１円柱部、６２…第２円柱部、１１１…素子基板、１１２…対向基板、１５１…フレーム本体、１５４…上フィン部、１５５…下フィン部、１５５Ｂ…射出側下フィン部、１６０…第１固定部、１６２，１６４，１６６…突出部、１７０…第１固定部、１７１，１７３，１７５…孔部、４５２…入射側偏光板、４５３…射出側偏光板、４５４，４５５…ガラス基板、４６１…クロスダイクロイックプリズム、４７１…投写レンズ、５１１…流路、５２０…第２固定部、５２１，５２２，５２３…孔部、５３１…挿入部、５５０…第２固定部、５５１，５５２，５５３…溝部、５５２Ａ…溝面、５５２Ｂ，５５２Ｃ…傾斜平面。
【図１】
2011076027.tif 000003
【図２】
2011076027.tif 000004
【図３】
2011076027.tif 000005
【図４】
2011076027.tif 000006
【図５】
2011076027.tif 000007
【図６】
2011076027.tif 000008
【図７】
2011076027.tif 000009
【図８】
2011076027.tif 000010
【図９】
2011076027.tif 000011
【図１０】
2011076027.tif 000012